(57)【特許請求の範囲】
【請求項１】
厚さ０．５〜２．０mmの紙製の６面壁で構成される空容器体に、更に広告等表示用フラップ部が当該空容器体の一面壁から折曲自在に連成されていると共に、当該広告等表示用フラップ部の折曲部の一部に、切れ目の対向する長手端部同士における摩擦係止力により広告等表示用フラップ部の伸展状態を保持する直線状の切れ目が形設されていることを特徴とする販売促進用陳列広告媒体。
【請求項２】
前記切れ目が、適宜間隔で複数形設されていることを特徴とする請求項１記載の販売促進用陳列広告媒体。
【請求項３】
前記切れ目部を除き、広告等表示用フラップ部の折曲部に、折曲を容易にする型押し加工が施されていることを特徴とする請求項１又は２記載の販売促進用陳列広告媒体。
【請求項４】
前記空容器体が、広告等表示用フラップ部の折曲時当該フラップ部を挾持固定するための突出片形成用ミシン目を備えていることを特徴とする請求項１〜３の何れか１項記載の販売促進用陳列広告媒体。
【請求項５】
前記広告等表示用フラップ部が折曲自在の突出片を備えていると共に、空容器体が広告等表示用フラップ部の折曲時当該突出片を挿通係止せしめる切れ目を備えていることを特徴とする請求項１〜３の何れか１項記載の販売促進用陳列広告媒体。
【請求項６】
前記突出片が広告等表示用フラップ部の長手辺縁部に突設され、かつ切れ目が広告等表示用フラップにより被覆される空容器体面壁の長手辺縁部に形設されていることを特徴とする請求項５記載の販売促進用陳列広告媒体。
【請求項７】
前記突出片が広告等表示用フラップ部の短手辺縁部に突設され、かつ切れ目が空容器体の蓋部材に形設されていることを特徴とする請求項５記載の販売促進用陳列広告媒体。
【請求項８】
前記空容器体が、扁平状に折り畳み可能な紙製の箱であることを特徴とする請求項１〜７の何れか１項記載の販売促進用陳列広告媒体。
【発明の詳細な説明】
【技術分野】
【０００１】
本発明は、販売促進用陳列広告媒体、更に詳細には商品を内部に収納することなく、店頭等において各種商品の販売促進のために陳列して使用する広告媒体に関するものである。
【背景技術】
【０００２】
従来、各種商品の小売販売に当たり、当該商品自体の説明表示や当該商品に関する広告表示は、一般に当該商品の包装用箱面に表示することによって行なわれている。
然るところ、医薬品、医薬部外品、化粧品等を初めとして、今日、商品の説明や取り扱いに関して表示すべき事項、あるいは当該商品の広告に関して表示したい事項が増大しており、包装用箱面のみでは表示面積が不足すると云う問題があった。
斯かる問題を解消するものとして、箱自体の構成には関与しない表示専用の表示片を連設した表示片付包装用箱が既に報告されている（特許文献１参照）。
【０００３】
しかしながら、当該表示片付包装用箱の表示片は、単に折り曲げ可能に連設されていたに過ぎなかったため、一旦包装用箱面と接するように折り曲げられると、所謂折りぐせがついて、伸展時に当該表示片面と当該表示片が連設されている包装用箱面とを同一水平面状態に保持し得ないと云う問題があった。
そのため、包装用箱面と共に表示片面を見る者の正面に位置せしめることができない結果、陳列の際に折角の表示片を有効に利用できず、包装用箱としてはともかく、販売促進用陳列広告媒体としては用をなさないのが実状であった。
【先行技術文献】
【特許文献】
【０００４】
【特許文献１】特開平９−１０４４３３号公報
【発明の概要】
【発明が解決しようとする課題】
【０００５】
本発明は上記の如き従来の問題と実状に鑑みてなされたもので、表示片に折曲による折りぐせがついても、伸展時に当該表示片を、当該表示片が連設されている包装用箱面と同一水平面状態となる位置に保持固定することができる販売促進用陳列広告媒体を提供することを課題としている。
【０００６】
本発明者は、当該課題を解決すべく種々検討を重ねた結果、空容器体に広告等表示用フラップ部を折曲自在に設け、かつ当該フラップ部の折曲部の一部に切れ目を設ければ、当該切れ目端部における摩擦係止力を利用して、伸展時に当該フラップ部を、当該フラップ部が設けられている空容器面と同一水平面状態となる位置に保持固定し得ることを見い出し、本発明を完成した。
【課題を解決するための手段】
【０００７】
すなわち、本発明は、厚さ０．５〜２．０mmの紙製の６面壁で構成される空容器体に、更に広告等表示用フラップ部が当該空容器体の一面壁から折曲自在に連成されていると共に、当該広告等表示用フラップ部の折曲部の一部に、切れ目の対向する長手端部同士における摩擦係止力により広告等表示用フラップ部の伸展状態を保持する直線状の切れ目が形設されていることを特徴とする販売促進用陳列広告媒体により上記課題を解決したものである。
【発明の効果】
【０００８】
本発明によれば、広告等表示用フラップ部の折曲部の一部に切れ目が形設されているので、当該フラップ部に折りぐせがついても、当該フラップ部を伸展せしめて切れ目端部同士を合わせれば、当該切れ目端部における摩擦係止力によりその伸展状態、すなわち当該フラップ部面と当該フラップが連成されている空容器面との同一水平面状態が保持固定さ
れる。
【０００９】
従って、本発明によれば、表示すべき情報量の増大に対応し得ることはもとより、空容器体面と共に広告等表示用フラップ部面を見る者の正面に位置せしめることができるので、本発明は看者の注意を引くアピール性のある販売促進用陳列広告媒体としての有用性が特に高いものである。
【発明を実施するための形態】
【００１０】
以下本発明の実施の形態を図面と共に説明する。
【００１１】
まず、本発明の第１の実施の形態を図１〜図４を用いて説明する。
当該図１〜図４において、１０は空容器体で、その材質・形態は特に制限されないが、例えば扁平状に折り畳み可能な紙製や樹脂製の箱とするのが輸送や保管を効率良く行なうことができ、より望ましい。この場合、箱の各折曲部分は折曲を容易にするために施された型押し加工部１０Ｐを有するのが好ましい。また、その厚さは、後述する切れ目３０の端部において適度な摩擦係止力を得る上で、０．５〜２．０mm程度とするのが望ましい。
【００１２】
２０は広告等表示用フラップ部で、空容器体１０の一面壁１０ａから当該空容器体１０との境界部において折曲自在に突出連成されている。この広告等表示用フラップ部２０には、商品の説明や取り扱いに関する事項や商品の広告に関する事項等が適宜表示される。
【００１３】
３０は切れ目で、空容器体１０との境界部における広告等表示用フラップ部２０の折曲部４０の一部に適宜間隔で複数形設されている。また、当該折曲部４０には、切れ目３０部を除き、折曲を容易にするために施された型押し加工部４０Ｐを有するものが望ましい。
【００１４】
この実施の形態によれば、輸送や保管時においては図３に示す如く、広告等表示用フラップ部２０を折り曲げて空容器体１０の他の一面壁１０ｂに密着せしめることによりコンパクトな状態とすることができる。
他方、店頭等において陳列しようとするときは、図４に示す如く、広告等表示用フラップ部２０を伸展せしめ、切れ目３０の端部同士を合わせれば、当該切れ目３０の端部における摩擦係止力によりその伸展状態、すなわち当該フラップ部２０面と当該フラップ部２０が連成されている空容器面１０ａとの同一水平面状態が保持固定される。
【００１５】
次に、本発明の第２の実施の形態を図５及び図６を用いて説明する。
この実施の形態は図５に示す如く、空容器体１０の他の一面壁１０ｂに、広告等表示用フラップ部２０の折曲時当該フラップ部２０を挾持固定するための突出片形成用ミシン目５０が形設されている以外は第１の実施の形態と同様に構成されている。この突出片形成用ミシン目５０の具体的形状は、ミシン目の破断により突出片が形成されるものであれば半円状、半矩形状等その如何を問わない。
【００１６】
この実施の形態によれば、突出片形成用ミシン目５０を破断して突出片５０ａを形成し、折曲げられた広告等表示用フラップ部２０の端部を、当該突出片５０ａと空容器体の当該面壁１０ｂとの間に挾持すれば、図６に示す如く、当該フラップ部２０を空容器体１０の他の一面壁１０ｂに密着させた状態で固定保持することができる。
【００１７】
次に、本発明の第３の実施の形態を図７及び図８を用いて説明する。
この実施の形態は図７に示す如く、広告等表示用フラップ部２０の長手辺縁部に、突出片２０ａが折曲自在に一体的に突設されていると共に、当該フラップ部２０の折曲時当該突出片２０ａを挿通係止せしめる切れ目６０ａが、当該フラップ部２０により被覆される空容器体１０の他の一面壁１０ｂの長手辺縁部に形設されている以外は第１の実施の形態と同様に構成されている。
【００１８】
この実施の形態によれば、広告等表示用フラップ部２０を折曲げつつ、当該突出片２０ａを切り目６０ａに挿通係止すれば、図８に示す如く、当該フラップ部２０を空容器体２０の他の一面壁１０ｂに密着させた状態で固定保持することができる。
【００１９】
次に、本発明の第４の実施の形態を図９〜図１１を用いて説明する。
この実施の形態は図９及び図１０に示す如く、広告等表示用フラップ部２０の短手辺縁部に、突出片２０ｂが折曲自在に一体的に突設されていると共に、当該フラップ部２０の折曲時当該突出片２０ｂを挿通係止せしめる切れ目６０ｂが、空容器体１０の蓋部材１０ｃに形設されている以外は第１の実施の形態と同様に構成されている。
【００２０】
この実施の形態によれば、広告等表示用フラップ部２０を折り曲げつつ、当該突出片２０ｂを切れ目６０ｂに挿通係止すれば、図１１に示す如く、当該フラップ部２０を空容器体１０の他の一面壁１０ｂに密着させた状態で固定保持することができる。
【図面の簡単な説明】
【００２１】
【図１】本発明の第１の実施の形態を示す概略平面説明図。
【図２】本発明の第１の実施の形態を示す概略背面説明図。
【図３】広告等表示用フラップ部を折曲した本発明の第１の実施の形態を示す概略背面説明図。
【図４】広告等表示用フラップ部を伸展した本発明の第１の実施の形態を示す概略断面説明図。
【図５】本発明の第２の実施の形態を示す概略背面説明図。
【図６】広告等表示用フラップ部を折曲した本発明の第２の実施の形態を示す概略背面説明図。
【図７】本発明の第３の実施の形態を示す概略背面説明図。
【図８】広告等表示用フラップ部を折曲した本発明の第３の実施の形態を示す概略断面説明図。
【図９】本発明の第４の実施の形態を示す概略背面説明図。
【図１０】立体化した本発明の第４の実施の形態を示す概略背面説明図。
【図１１】広告等表示用フラップ部を折曲した本発明の第４の実施の形態を示す概略断面説明図。
【符号の説明】
【００２２】
１０：空容器体
１０ａ：一面壁
１０ｂ：他の一面壁
１０ｃ：蓋部材
１０Ｐ：型押し加工部
２０：広告等表示用フラップ部
２０ａ：突出片
２０ｂ：突出片
３０：切れ目
４０：折曲部
４０Ｐ：型押し加工部
５０：ミシン目
５０ａ：突出片
６０ａ：切れ目
６０ｂ：切れ目
【図１】
0005679586.tif 000002
【図２】
0005679586.tif 000003
【図３】
0005679586.tif 000004
【図４】
0005679586.tif 000005
【図５】
0005679586.tif 000006
【図６】
0005679586.tif 000007
【図７】
0005679586.tif 000008
【図８】
0005679586.tif 000009
【図９】
0005679586.tif 000010
【図１０】
0005679586.tif 000011
【図１１】
0005679586.tif 000012